(57)【要約】【課題】同時に複数の携帯電話機が位置登録動作を行うような事態をできるだけ回避してネットワーク側の負荷を軽減し、通信を保証することが可能な携帯電話機の位置登録方法、および携帯電話機を提供する。【解決手段】移動によりロケーションエリアが変更になった場合、圏外から圏内に変更になった場合等、位置登録が必要になったとき、乱数発生部１０７から乱数を発生させ、携帯電話機のＩＤ、およびロケーションエリアのＩＤの送信タイミングを位置登録が必要になった時点よりも乱数発生部１０７から発生した乱数に基づく時間遅延させる。これにより、位置登録動作の開始時期が携帯電話機の個体毎に異なるようになる。【選択図】      図１
2004289689.tif 000002
【特許請求の範囲】
【請求項１】
携帯電話機がどのロケーションエリアに在圏するかの位置登録が必要になったことを検出し、
前記検出からの遅延時間が前記携帯電話機の個体毎に異なるように設定し、
前記検出からの経過時間を計時し、
前記経過時間が前記遅延時間に達したとき、前記位置登録のための動作を開始することを特徴とする携帯電話機の位置登録方法。
【請求項２】
前記遅延時間の設定は、乱数を用いて行うことを特徴とする請求項１記載の携帯電話機の位置登録方法。
【請求項３】
前記検出は、前記携帯電話機が在圏する前記ロケーションエリアの変更を検出するものであることを特徴とする請求項１記載の携帯電話機の位置登録方法。
【請求項４】
前記検出は、前記携帯電話機が前記ロケーションエリアの圏外から圏内に移動したときを検出するものであることを特徴とする請求項１記載の携帯電話機の位置登録方法。
【請求項５】
前記検出は、前記携帯電話機が同一の前記ロケーションエリアに在圏していることを周期的に検出するものであることを特徴とする請求項１記載の携帯電話機の位置登録方法。
【請求項６】
携帯電話機がどのロケーションエリアに在圏するかの位置登録が必要になったことを検出する検出手段と、
前記検出手段による前記検出からの遅延時間が前記携帯電話機の個体毎に異なるように設定する設定手段と、
前記検出からの経過時間を計時する計時手段と、
前記経過時間が前記遅延時間に達したとき、前記位置登録のための動作を開始する制御手段とを備えたことを特徴とする携帯電話機。
【請求項７】
前記設定手段は、乱数を発生する乱数発生部を備え、前記乱数に基づいて前記遅延時間を設定することを特徴とする請求項６記載の携帯電話機。
【発明の詳細な説明】
【０００１】
【発明の属する技術分野】
本発明は、携帯電話機がどのロケーションエリアに在圏するかを登録する携帯電話機の位置登録方法、および携帯電話機に関し、特に、同時に複数の携帯電話機が位置登録動作を行うような事態をできるだけ回避してネットワーク側の負荷を軽減し、通信を保証することが可能な携帯電話機の位置登録方法、および携帯電話機に関する。
【０００２】
【従来の技術】
携帯電話システムにおいては、複数のロケーションエリアから構成されており、携帯電話機への着信動作を行う際に、どのロケーションエリアに該当携帯電話機が位置しているかをネットワーク側は把握しておく必要がある。このため、携帯電話機は電源投入時やロケーションエリアを移動した際は、ネットワークに対して位置登録を行う必要がある。また、一定時間毎に周期的に位置登録を行い、同一ロケーションエリアに継続して位置していることを報告している（例えば、特許文献１参照。）。
【０００３】
この特許文献１に記載された携帯電話機の位置登録方法は、位置登録動作を行う際に、ネットワーク側が輻輳状態にある場合は、ネットワーク側からの情報を基に位置登録動作を保留し、輻輳状態が回避されたことを検出したときに、位置登録動作を行うものである。これにより、既に輻輳状態にあるネットワークに対しては位置登録動作によるさらなるネットワークの負荷を低減でき、通信を保証することができる。
【０００４】
【特許文献１】
特開２００２−１６５２６０号公報
【０００５】
【発明が解決しようとする課題】
しかし、従来の携帯電話機の位置登録方法によると、輻輳状態に無いネットワークに対して同時に複数の携帯電話機が位置登録動作を行うような場合には、瞬間的な輻輳状態が発生し、ネットワーク側の負荷が上がり、通信を保証できなくなる可能性がある。
【０００６】
例えば、ロケーションエリアの境界に電車用のトンネルが位置しているような場合は、トンネルを抜けた途端に電車に乗っている携帯電話機が一斉にロケーションエリアが移動したことによる位置登録動作を行うことにより、瞬間的にネットワークに負荷が発生する。また、劇場・映画館等、多くの人が長時間屋内に在室し、一斉に室外に出てくるような場合のように、室内に在室している間が圏外であるような場所の場合は、室内に在室していた間に実行できなかった周期的な位置登録が一斉に発生する可能性がある。この場合もネットワーク側の負荷が瞬間的に上がり、安定した通信ができなくなる可能性がある。
【０００７】
図４は、上記の問題点を説明するための図であり、３つの携帯電話機の位置登録動作を示す。携帯電話機ＭＳ３は、時刻Ｔａに電源投入され、その後、携帯電話機ＭＳ１，ＭＳ２は、時刻Ｔｂに同時に電源投入されている。携帯電話機ＭＳ３は、電源投入時Ｔａに位置登録動作を行い、携帯電話機ＭＳ１、ＭＳ２は、電源投入時Ｔｂに同時に位置登録動作を行っている。この位置登録動作に基づいて携帯電話機ＭＳ１，ＭＳ２，ＭＳ３のＩＤ（識別情報）とロケーションエリアＢのＩＤがネットワークを介して管理サーバに登録される。３つの携帯電話機ＭＳ１、ＭＳ２、ＭＳ３がロケーションエリアＢに在圏し続けると、それぞれ最初の登録からの経過時間がＴ１に達する毎に周期的に位置登録動作を行う。３つの携帯電話機ＭＳ１，ＭＳ２，ＭＳ３が同時に移動してロケーションエリアＢがＡに変更になると、変更になった直後に３つの携帯電話機ＭＳ１，ＭＳ２，ＭＳ３は一斉に位置登録動作を行い、その後の周期的な位置登録動作も３つ一斉に行われる。このようにローケションエリアが同時に変更になると、変更直後の位置登録動作やその後の周期的な位置登録動作が同時に発生するため、システム側の負荷が増大することになる。
【０００８】
従って、本発明は、同時に複数の携帯電話機が位置登録動作を行うような事態をできるだけ回避してネットワーク側の負荷を軽減し、通信を保証することが可能な携帯電話機の位置登録方法、および携帯電話機を提供することにある。
【０００９】
【課題を解決するための手段】
第１の発明は、上記目的を達成するため、携帯電話機がどのロケーションエリアに在圏するかの位置登録が必要になったことを検出し、前記検出からの遅延時間が前記携帯電話機の個体毎に異なるように設定し、前記検出からの経過時間を計時し、前記経過時間が前記遅延時間に達したとき、前記位置登録のための動作を開始することを特徴とする携帯電話機の位置登録方法を提供する。
【００１０】
第２の発明は、上記目的を達成するため、携帯電話機がどのロケーションエリアに在圏するかの位置登録が必要になったことを検出する検出手段と、前記検出手段による前記検出からの遅延時間が前記携帯電話機の個体毎に異なるように設定する設定手段と、前記検出からの経過時間を計時する計時手段と、前記経過時間が前記遅延時間に達したとき、前記位置登録のための動作を開始する制御手段とを備えたことを特徴とする携帯電話機を提供する。
第１および第２の発明によれば、複数の携帯電話機について位置登録が同時に必要になっても、位置登録のための動作の開始時期が携帯電話機の個体毎に異なるので、複数の携帯電話機が一斉に位置登録動作を行うことが回避される。
【００１１】
【発明の実施の形態】
図１は、本発明の実施の形態に係る携帯電話機を示す。この携帯電話機１００は、携帯電話機１００全体を制御するＣＰＵ１０１と、ＣＰＵ１０１の動作プログラムを格納するＲＯＭ、およびデータの読み書きを行うためのＲＡＭ等からなるメモリ１０２と、ネットワークと無線通信を行う無線部１０３と、表示およびキー操作等を行うＭＭＩ（ｍａｎ−ｍａｃｈｉｎｅ  ｉｎｔｅｒｆａｃｅ）部１０４と、音声通信時に音声の入出力を行うＡｕｄｉｏ部１０５と、時間を計時するタイマー１０６と、乱数を発生させる乱数発生部１０７とを有して概略構成されている。
【００１２】
ＣＰＵ１０１は、携帯電話機１００全体を制御し、またネットワークとの通信信号に関しても制御を行い、電源投入、ロケーションエリアの変更、圏外から圏内への変化等の携帯電話機がどのロケーションエリアに在圏するかの位置登録動が必要になったことを検出する。位置登録動作においては、以下のような制御を各部を使用して行う。最新の位置登録時のロケーションエリアのＩＤ（識別情報）をメモリ１０２のＲＡＭに格納しておき、在圏するロケーションエリアが異なった場合に、位置登録動作を開始する。さらに、最新の位置登録を行ってからタイマー１０６にて一定時間を計時して、測定時間が満了した時点で、周期的な位置登録動作を開始する。
【００１３】
無線部１０３は、ネットワーク側とのデータの送受信を行い、受信データをＣＰＵ１０１に対して送信し、ＣＰＵ１０１から受信した送信データをネットワーク側に送信することで、ＣＰＵ１０１とネットワーク側との通信を実現する。
【００１４】
乱数発生部１０７は、携帯電話機１００の個体毎に、さらに電源投入毎に異なる乱数系列を発生する乱数発生器を備え、位置登録を開始するタイミングを生成する際に用いられる。
【００１５】
図２は、本実施の形態に係る携帯電話機による位置登録動作を示すフローチャートである。ここでは、１つの携帯電話機が位置登録動作を行う場合について説明する。使用者がＭＭＩ部１０４を操作して携帯電話機１００の電源を投入すると（Ｓ２０１）、携帯電話機１００のＣＰＵ１０１は、電源が投入されたことを検出し、その直後に携帯電話機１００が在圏するロケーションエリアの管理サーバ（図示せず）にネットワークを介して位置登録要求信号を送信する。管理サーバは、携帯電話機１００毎に当該携帯電話機が在圏しているロケーションエリアのＩＤおよび携帯電話機１００のＩＤの登録（位置登録）を行う。携帯電話機１００が同一のロケーションエリアに在圏し続けると、ＣＰＵ１００は、電源投入によって最初に位置登録動作を行ったとき、タイマー１０６を起動し、周期的に位置登録動作を行う。ロケーションエリアを移動したとき（Ｓ２０３）、およびタイマー１０６の計時が一定時間Ｔ１に達したとき（Ｓ２０４）、ＣＰＵ１０１は、それらを検出し、位置登録に先立ち、乱数発生部１０７から乱数Ｚを発生させる（Ｓ２０６）。ＣＰＵ１０１は、発生した乱数Ｚを用いて、関数Ｆ（Ｚ）にて次の位置登録動作までの待ち時間を計算し、Ｆ（Ｚ）時間の待ち時間を経て、周期的位置登録のためのＴ１測定用のタイマー１０６を停止させて、位置登録動作を行う。位置登録に際して、圏外状態の場合は、圏外から圏内に復帰することを待った後に位置登録動作を行う。
【００１６】
図３は、本実施の形態の３つの携帯電話機の動作を示す。同図は横軸を時間軸とする。同図は、３つの携帯電話機ＭＳ１，ＭＳ２，ＭＳ３の位置登録動作を示しており、ＭＳ１，ＭＳ２，ＭＳ３の線に「Ｈ」のパルスが発生している箇所で位置登録動作を行っているものとする。最上段のロケーションエリアについては、３つの携帯電話機ＭＳ１，ＭＳ２，ＭＳ３が同時に時間軸に沿って移動し、時刻ＴｆにロケーションエリアＢからＡに移動したことを示している。
【００１７】
（１）電源投入時の位置登録
携帯電話機ＭＳ３は、時刻Ｔａに電源投入され、その後、携帯電話機ＭＳ１，ＭＳ２は、時刻Ｔｂに同時に電源投入されている。携帯電話機ＭＳ３は、電源投入時Ｔａに位置登録動作を行い、携帯電話機ＭＳ１，ＭＳ２は、電源投入時Ｔｂに同時に位置登録動作を行っている。携帯電話機ＭＳ１，ＭＳ２，ＭＳ３の各ＩＤとロケーションエリアＢのＩＤが登録される。
【００１８】
（２）周期的な位置登録
ロケーションエリアＢに在圏し続けた場合、図２のフローチャートに示したように位置登録の要求発生後ではなく、位置登録完了後に周期（Ｔ１）測定用にタイマーを起動する際に、乱数を発生させて、Ｔ１ではなくＴ１＋Ｆ（Ｚ）にてタイマーを起動しても実現される。すなわち、３つの携帯電話機ＭＳ１，ＭＳ２，ＭＳ３がロケーションエリアＢに在圏し続けると、それぞれタイマー１０６が計時した最初の登録からの経過時間がＴ１に達すると、乱数発生部１０７から発生する乱数Ｚに基づくＦ（Ｚ）時間後に次の位置登録動作を行う。同図の場合、携帯電話機ＭＳ３は、乱数発生部１０７から乱数Ｚ３１が発生し、最初の位置登録からＴ１＋Ｆ（Ｚ３１）後の時刻Ｔｃに次の位置登録動作を行っている。携帯電話機ＭＳ１，ＭＳ２は、乱数発生部１０７からそれぞれ乱数Ｚ１１、Ｚ２１が発生し、最初の位置登録からそれぞれＴ１＋Ｆ（Ｚ１１）後の時刻Ｔｄ、Ｔ１＋Ｆ（Ｚ２１）後の時刻Ｔｅに次の位置登録動作を行っている。
【００１９】
（３）ロケーションエリア移動時の位置登録
ロケーションエリアの移動が発生した時刻Ｔｆから、携帯電話機ＭＳ１はＦ（Ｚ１２）のタイミングで、携帯電話機ＭＳ２はＦ（Ｚ２２）のタイミングで、携帯電話機ＭＳ３はＦ（Ｚ３２）のタイミングでそれぞれ位置登録動作を行っている。その後は、上記（２）の周期的な位置登録と同様に、携帯電話機ＭＳ１はＦ（Ｚ１２）＋Ｔ１＋Ｆ（Ｚ１３）のタイミングで、携帯電話機ＭＳ２はＦ（Ｚ２２）＋Ｔ１＋Ｆ（Ｚ２３）のタイミングで、携帯電話機ＭＳ３はＦ（Ｚ３２）＋Ｔ１＋Ｆ（Ｚ３３）のタイミングでそれぞれ位置登録動作を行っている。
【００２０】
以上説明したように本実施の形態によれば、周期的に位置登録を行う場合、ロケーションエリアを移動した場合、それぞれの携帯電話機が内部で発生した乱数Ｚを用いて位置登録のタイミングをずらしているので、複数の携帯電話機について位置登録しなければならない事態が同時に発生しても、無線環境及びネットワークへの瞬間的な負荷を掛けることを軽減でき、安定した通信環境を提供することができる。
【００２１】
なお、本発明は、上記実施の形態に限定されず種々変形実施が可能である。例えば、周期的な位置登録を行うタイミング時に圏外状態に居た複数の携帯電話機が、一斉に圏内に移動した場合も上述したのと同様に携帯電話機の個体毎に異なるタイミングで位置登録動作を行うようにしてもよい。これにより、位置登録動作が一斉に発生したためにネットワーク側への瞬間的な負荷の増大することを避けることができるようになる。
【００２２】
【発明の効果】
以上説明したように、本発明によれば、複数の携帯電話機について位置登録が同時に必要になっても、位置登録のための動作の開始時期が携帯電話機の個体毎に異なるので、同時に複数の携帯電話機が位置登録動作を行うような事態をできるだけ回避してネットワーク側の負荷を軽減し、通信を保証することが可能となる。
【図面の簡単な説明】
【図１】本発明の実施の形態に係る携帯電話機の概略構成を示すブロック図である。
【図２】本発明の実施の形態に係る携帯電話機の位置登録動作を示すフローチャートで
ある。
【図３】本発明の実施の形態に係る３つの携帯電話機の位置登録動作を示す図である。
【図４】従来の携帯電話機の位置登録動作を示す図である。
【符号の説明】
１００  携帯電話機
１０２  メモリ
１０３  無線部
１０４  ＭＭＩ部
１０５  Ａｕｄｉｏ部
１０６  タイマー
１０７  乱数発生部
ＭＳ１  携帯電話機
ＭＳ２  携帯電話機
ＭＳ３  携帯電話機
【図１】
2004289689.tif 000003
【図２】
2004289689.tif 000004
【図３】
2004289689.tif 000005
【図４】
2004289689.tif 000006